(57)【要約】【課題】１つの排水管で、洗濯水及び結露水を排水できる洗濯乾燥機を提供する。【解決手段】衣類が投入される回転ドラム２８と、回転ドラム２８を回転自在に収納する洗濯槽２６と、衣類の乾燥時に乾燥用空気から湿気を結露水として回収する吸熱器３８と、吸熱器３８で回収された結露水をためる排水タンク６７と、排水タンク６７内の結露水をくみ上げる排水ポンプ６８と、排水ポンプ６８で汲み上げられた結露水を排水する結露排水路４８と、洗濯時の排水を流す洗濯排水路４７と、一端が大気に開口し、他端に前記結露排水路４８と前記洗濯排水路４７が接続された一つの排水管４９とを備え、排水ポンプ６８を、所定の停止時間経過後に動作させ、かつ所定の動作時間が経過後に停止させるもので、１つの排水管４９で、洗濯水、結露水の両方を適切に本体２５外に排水できる。【選択図】図２
2006320759.tif 000002
【特許請求の範囲】
【請求項１】
衣類が投入される回転ドラムと、前記回転ドラムを回転自在に収納する洗濯槽と、前記衣類の乾燥時に乾燥用空気から湿気を結露水として回収する除湿手段と、前記除湿手段で回収された結露水をためる排水タンクと、排水タンク内の結露水をくみ上げる排水ポンプと、前記排水ポンプで汲み上げられた結露水を排水する結露排水路と、洗濯時の排水を流す洗濯排水路と、一端が大気に開口し、他端に前記結露排水路と前記洗濯排水路が接続された一つの排水管とを備え、乾燥行程において、前記排水ポンプを、所定の停止時間経過後に動作させ、かつ所定の動作時間が経過後に停止させる動作を繰り返すようにし、前記乾燥行程終了時には、排水ポンプを所定時間動作させるようにした洗濯乾燥機。
【請求項２】
洗濯行程において、排水ポンプを、所定の停止時間経過後に動作させ、かつ所定の動作時間が経過後に停止させる動作を繰り返すようにした請求項１記載の洗濯乾燥機。
【請求項３】
排水ポンプの所定の停止時間及び／又は動作時間を任意に変更できるようにした請求項１又は２に記載の洗濯乾燥機。
【請求項４】
洗濯や乾燥といった運転行程毎に、排水ポンプの停止時間及び／又は動作時間を設定することができる請求項１〜３のいずれか１項に記載の洗濯乾燥機。
【請求項５】
電源投入時に、排水ポンプを第１の所定時間動作させるようにした請求項１〜４のいずれか１項に記載の洗濯乾燥機。
【請求項６】
本体の電源を切った時に、排水ポンプを第６の所定時間動作させるようにした請求項１〜５のいずれか１項に記載の洗濯乾燥機。
【発明の詳細な説明】
【技術分野】
【０００１】
本発明は、一般家庭で使用される洗濯と乾燥を同一回転ドラムで行う洗濯乾燥機に関するものである。
【背景技術】
【０００２】
従来の洗濯乾燥機として、洗濯後の衣類の乾燥時に、ヒータを熱源にするものや、ヒートポンプ装置を熱源に用いたものがある（例えば、特許文献１参照）。
【０００３】
以下、上記特許文献１に記載された従来の洗濯乾燥機について、図１０を用いて説明する。
【０００４】
図１０は、前記特許文献１に記載された従来の洗濯乾燥機の側断面図である。
【０００５】
図１０において、洗濯乾燥機１は、ケーシング２をもち、同ケーシング２の前面の略中央に衣類６を出し入れするためのドア１２が取り付けられており、内部には回転ドラム３が回転自在に収納されている。回転ドラム３の内壁の所定の部位には、衣類６を回転ドラム３の回転と共に持ち上げ落下させるためのビータ５と、洗濯水７及び乾燥のための循環エア９が出入りするパンチング孔４が開口させてある。
【０００６】
回転ドラム３のシャフト１１は、図示されない駆動用モータに連結され回転駆動されるようになっている。
【０００７】
また、ケーシング２内の回転ドラム３の背面は、空気入口２４及び空気出口２３を有する隔壁２２によって仕切られ、循環エア９が通るダクト１０、及び１３が形成されている。前記隔壁２２の前面下部は洗濯槽１４を形成し、同洗濯槽１４の部分に回転ドラム３の下部が臨んでいる。
【０００８】
前記各エアダクト１０、１３には、コンプレッサ１９、コンデンサ１８（凝縮器）、ファン１７、膨脹弁２０、エバポレータ１５（蒸発器）等からなる、いわゆるヒートポンプサイクルが形成されている。また、コンデンサ１８の一部はケーシング外背面に延長され、放熱器１６を形成している。２１はドレン排水用配管、８は洗濯排水用配管である。
【０００９】
上記構成による従来の洗濯乾燥機の各行程における動作、作用は以下の通りである。
【００１０】
洗濯、すすぎ行程時には、ドア１２をあけて衣類６及び適量の洗剤を回転ドラム３に投入し、ドア１２を閉め、以下の行程を実行する。水供給バルブ（図示せず）から洗濯槽１４に水位Ａの位置まで規定量の水７が供給される。回転ドラム３がプログラムされた所定の回転数で連続または間欠的に回転し、洗浄が行なわれる。この間、衣類６はビータ５によって持ち上げられ落下する。洗濯終了後、洗濯水が洗濯槽１４の底部に設けた洗濯排水用配管８から機外に排水される。続いて、すすぎ行程が同様の行程で実行される。すすぎが終了すると、そのすすぎ水も洗濯排水として、洗濯排水用配管８から機外に排水される。
【００１１】
脱水行程は、回転ドラム３がプログラムされた回転数で回転し、衣類６中の水分７を脱水する。脱水された水は、同じく洗濯排水として洗濯排水用配管８から機外に排水される。乾燥行程は、コンプレッサ１９、ファン１７及び回転ドラム３が運転されて、循環エア９がダクト１０⇒ダクト１３⇒回転ドラム３の内部⇒ダクト１０と循環する。
【００１２】
衣類６から蒸発した水蒸気は循環エア９と共に、空気出口２３、ダクト１０を通ってエバポレータ１５に接触し、そこで冷却されて凝縮水（結露水）となって回収、除湿される。除湿された循環エア９は、ファン１７によってコンデンサ１８に送られ、ここで加熱されて熱風となってダクト１３、空気入口２４を経て回転ドラム３内に流入し、再び衣類６から水分を蒸発させる。除湿された結露水はドレン排水用配管２１から機外に排水される。この間、回転ドラム３は洗濯行程と同様にあらかじめ設定された回転数で連続又は間欠的に回転する。
【特許文献１】特開平１−３２８９３号公報
【発明の開示】
【発明が解決しようとする課題】
【００１３】
しかしながら、前記従来の洗濯乾燥機の構成では、ドレン排水用配管２１と洗濯排水用配管８が個別に設けられ、洗濯水、結露水を別個に機外に導いている。乾燥機能を持たない一般の洗濯機においては、排水用配管に相当する排水ホースは１本だけであり、その洗濯機の設置場所に新たに洗濯乾燥機を設置する場合は、従来と同様に１つの排水ホースで排水処理ができることが、設置作業や防水フロアーなどの設置部材や床下の配管設備の面で望ましい。
【００１４】
そこで、ドレン排水用配管２１と洗濯排水用配管８をそのまま機内で接続すると、洗濯中に洗濯槽１４に溜められた水の水位が高く、洗濯排水中に水圧によって洗濯排水用配管８からドレン排水用配管２１へ洗濯水やすすぎ水が流れ込み、配管だけでなく、除湿や加熱を行うエバポレータ１５やファン１７やコンデンサ１８などの各手段の設置位置が洗濯水の貯水水位よりも低い場合には、これら各手段が洗剤や漂白剤などが溶けた洗濯水で濡れ、絶縁不良や腐食といった不具合を発生させるという課題を有していた。
【００１５】
また、これを防止するために、洗濯排水用配管８に設ける排水弁以外に、ドレン排水用配管２１への逆流を防止するための逆止弁やドレン排水用配管２１用の排水弁などといった逆流防止手段が別途必要になり、構成が複雑になり、コスト高になるという課題を有していた。
【００１６】
本発明は、上記従来の課題を解決するもので、安価な構成で、１つの排水管で、乾燥行程時の結露水を排水できると共に、排水タンク内に結露水が長時間滞留することのない洗濯乾燥機を提供することを目的とするものである。
【課題を解決するための手段】
【００１７】
上記従来の課題を解決するために、本発明の洗濯乾燥機は、衣類が投入される回転ドラムと、前記回転ドラムを回転自在に収納する洗濯槽と、前記衣類の乾燥時に乾燥用空気から湿気を結露水として回収する除湿手段と、前記除湿手段で回収された結露水をためる排水タンクと、排水タンク内の結露水をくみ上げる排水ポンプと、前記排水ポンプで汲み上げられた結露水を排水する結露排水路と、洗濯時の排水を流す洗濯排水路と、一端が大気に開口し、他端に前記結露排水路と前記洗濯排水路が接続された一つの排水管とを備え、乾燥行程において、前記排水ポンプを、所定の停止時間経過後に動作させ、かつ所定の動作時間が経過後に停止させる動作を繰り返すようにし、前記乾燥行程終了時には、排水ポンプを所定時間動作させるようにしたもので、１つの排水管で洗濯水と結露水の両方を適切に本体外に排水できると共に、排水タンク内に結露水が長時間滞留することをなくすことができる。
【発明の効果】
【００１８】
本発明の洗濯乾燥機は、１つの排水管で洗濯水と結露水の両方を適切に本体外に排水できると共に、排水タンク内に結露水が長時間滞留することをなくすことができる。
【発明を実施するための最良の形態】
【００１９】
第１の発明は、衣類が投入される回転ドラムと、前記回転ドラムを回転自在に収納する洗濯槽と、前記衣類の乾燥時に乾燥用空気から湿気を結露水として回収する除湿手段と、前記除湿手段で回収された結露水をためる排水タンクと、排水タンク内の結露水をくみ上げる排水ポンプと、前記排水ポンプで汲み上げられた結露水を排水する結露排水路と、洗濯時の排水を流す洗濯排水路と、一端が大気に開口し、他端に前記結露排水路と前記洗濯排水路が接続された一つの排水管とを備え、乾燥行程において、前記排水ポンプを、所定の停止時間経過後に動作させ、かつ所定の動作時間が経過後に停止させる動作を繰り返すようにし、前記乾燥行程終了時には、排水ポンプを所定時間動作させるようにしたもので、１つの排水管で洗濯水と結露水の両方を適切に本体外に排水できると共に、排水タンク内に結露水を長時間滞留させることをなくすことができる。
【００２０】
第２の発明は、特に、第１の発明の洗濯行程において、排水ポンプを、所定の停止時間経過後に動作させ、かつ所定の動作時間が経過後に停止させる動作を繰り返すようにしたもので、洗濯行程中に排水タンク内に水が溜まった場合でも適切に本体外に排水できると共に、１つの排水管で洗濯水と結露水の両方を適切に本体外に排水できる洗濯乾燥機を提供できる。
【００２１】
第３の発明は、特に、第１又は第２の発明の排水ポンプの所定の停止時間及び／又は動作時間を任意に変更できるようにしたもので、使用状況に応じて適切なタイミングで排水動作が行えると共に、１つの排水管で洗濯水と結露水の両方を適切に本体外に排水できる洗濯乾燥機を提供できる。
【００２２】
第４の発明は、特に、第１〜３のいずれか一つの発明の洗濯や乾燥といった運転行程毎に、排水ポンプの停止時間及び／又は動作時間を設定することができるもので、使用状況や運転行程に応じて適切なタイミングで排水動作が行えると共に、１つの排水管で洗濯水と結露水の両方を適切に本体外に排水できる洗濯乾燥機を提供できる。
【００２３】
第５の発明は、特に、第１〜４のいずれか一つの発明の電源投入時に、排水ポンプを第１の所定時間動作させるようにしたもので、洗濯乾燥機の電源投入時に、排水タンク内の結露水が排出され、電源を入れる前の排水タンク内の状態に関わらず適切な排水動作を行うことができる洗濯乾燥機を提供することができる。
【００２４】
第６の発明は、特に、第１〜５のいずれか一つの発明の本体の電源を切った時に、排水ポンプを第６の所定時間動作させるようにしたもので、洗濯乾燥機電源切時に排水タンク内の結露水を排出することとなり、排水タンク内に結露水を長時間滞留させることのない洗濯乾燥機を提供することができる。
【００２５】
以下、本発明の実施の形態について、図面を参照しながら説明する。なお、本実施の形態によって本発明が限定されるものではない。
【００２６】
（実施の形態１）
本発明の第１の実施の形態における洗濯乾燥機について、図１〜３を用いて説明する。図１は、本実施の形態における洗濯乾燥機を背面から見た斜視図、図２は側断面図である。
【００２７】
図１において、本実施の形態における洗濯乾燥機本体２５（以下「本体２５」という）内には、洗濯槽２６があり、モータ２７が取り付けられている。洗濯槽２６は、両側面のサスペンション２９と上方部のサスペンション３０によって支えられて本体２５に取り付けられている。
【００２８】
本体２５は、気化した冷媒を圧縮する圧縮機３５と、プレートフィン付きチューブ型熱交換器からなり圧縮後の高温高圧の冷媒の熱を放熱する放熱器３６と、高圧の冷媒の圧力を減圧するための膨張弁、もしくは、キャピラリーチューブから形成された絞り手段３７と、プレートフィン付きチューブ型熱交換器からなり減圧されて低圧となった冷媒で周囲から熱を奪う吸熱器３８とを備え、圧縮機３５、放熱器３６、絞り手段３７、吸熱器３８を順に接続して再び圧縮機３５に冷媒が循環するように管路３９で連結したヒートポンプ装置を形成している。
【００２９】
風路４０は、乾燥用空気を冷却する除湿手段としての前記吸熱器３８と乾燥用空気を加熱する加熱手段としての前記放熱器３６とを連通するように構成されている。洗濯槽２６と風路４０は、フレキシブルホース４１、４２によって接続されている。風路４０には送風手段４３が設けられている。４４は、洗濯槽２６の外壁に設けられ、洗濯槽２６の内部と、風路４０とを連通するダクトである。矢印Ｂは、ダクト４４と風路４０内の乾燥用空気の流れを示している。
【００３０】
図２において、回転ドラム２８は、モータ２７の軸に直結して洗濯槽２６内に取り付けられている。洗濯槽２６と回転ドラム２８のそれぞれの前面開口部２６ａ、２８ａに対応した位置には、衣類３１を回転ドラム２８内に投入するためのドア３２が設けられている。本体２５と洗濯槽２６の間の隙間は、ベローズ３３とドアパッキング３４によって、空気が本体２５内部や本体２５外に漏れないように略密封されている。回転ドラム２８の側壁および底面部には洗濯水や乾燥用空気が出入りする孔４５と開口部４６が設けられている。開口部５６は、洗濯槽２６の内壁に設けられ、洗濯槽２６とダクト４４とを連通している。矢印Ｃは、洗濯槽２６と回転ドラム２８内の乾燥用空気の流れを示している。
【００３１】
洗濯排水路４７は、洗濯やすすぎ時に洗濯水、すすぎ水を排水するものである。結露排水路４８は、衣類３１の乾燥時に吸熱器３８で発生した結露水を流すもので、洗濯排水路４７と結露排水路４８は一つの排水管４９につながれている。排水管４９の先端５０は本体２５外の大気中に開口している。洗濯排水路４７と結露排水路４８の合流部には１つの排水弁６０があり、洗濯排水路４７と、結露排水路４８と排水管４９と、排水弁６０によって排水処理手段を構成している。
【００３２】
除湿手段である吸熱器３８が構成上上方に配設できない場合、排水弁６０の設置位置よりも低い位置で結露水が溜まって、直接排水弁６０に結露水を排水できないので、本実施の形態では、排水処理手段はさらに、結露水を溜める排水タンク６７と、排水タンク６７内の水をくみ上げる排水ポンプ６８とを具備し、前記排水ポンプ６８の吸水部６９を前記排水タンク６７の略底面部に位置させ、排水ポンプ６８の吐出口７０を結露排水路４８に接続している。制御手段７１は、排水ポンプ６８の状態と時間経過に従い排水ポンプ６８を駆動制御するものである。
【００３３】
図３は、排水弁６０の構成を示す拡大断面図である。
【００３４】
図３において、排水弁６０は、水路を開閉する弁６１と、弁６１を回転駆動するモータ６２を備えている。モータ６２によって弁６１を駆動して流路６１ａのｄ側を閉じると、洗濯排水路４７側が閉じられ、結露排水路４８側（ｅ側）が開き、逆に、モータ６２によって弁６１を回転してｅ側に移動させると、今度は、洗濯排水路４７側が開き、結露排水路４８側が閉じられ、洗濯水やすすぎ水が洗濯排水路４７から結露排水路４８に逆流するのを防止する逆流防止手段が形成される。
【００３５】
以上のように構成された洗濯乾燥機について、以下、その動作、作用を説明する。
【００３６】
洗濯、すすぎ、脱水までの洗濯行程で、水を溜める場合は、排水弁６０の弁６１の状態は図３のｄ側であり、洗濯排水路４７側を閉じ、結露排水路４８側を開いている。水供給バルブ（図示せず）から洗濯槽２６に水が供給され、図２の水位Ｄの位置まで溜められる。回転ドラム２８がプログラムされた回転数で連続または間欠的に回転し、洗浄やすすぎが行なわれる。この間、衣類３１は、回転ドラム２８の回転によって持ち上げられ落下する。排水する場合は、排水弁６０の弁６１を図３のｅ側にして、洗濯排水路４７側を開き、結露排水路４８側を閉じる。洗濯槽１４内の洗濯水は、結露排水路４８に流入することなく洗濯排水路４７と排水弁６０を通過して排水管４９から本体２５外に排水される。
【００３７】
なお、本実施の形態においては、洗濯行程中もダクト４４を経由して水が排水タンク６７に溜まる可能性があるため、制御手段７１は、排水ポンプ６８の停止中に、所定の停止時間が経過した場合に、排水ポンプ６８を動作させて結露水を本体２５外へ排出するようにし、排水ポンプ６８の動作中に所定の動作時間が経過した場合には、排水ポンプ６８を停止させるようにしている。
【００３８】
乾燥行程では、排水弁６０の弁６１を図３のｄ側に回転させて洗濯排水路４７側を閉じ、結露排水路４８側を開いて、圧縮機３５、送風手段４３及び回転ドラム２８が運転される。送風手段４３の運転によって、乾燥用空気が洗濯槽２６とダクト４４、フレキシブルホース４１、風路４０、フレキシブルホース４２の内部を循環する。衣類３１は、あらかじめ設定された回転数で連続又は間欠的に行われる回転ドラム２８の回転によって撹拌される。
【００３９】
圧縮機３５の運転によって、管路３９内を冷媒が循環して、放熱器３６で高温高圧の冷媒の熱を放熱して循環する乾燥用空気を加熱する。加熱された乾燥用空気は、図２の矢印Ｃのように、洗濯槽２６内に送り込まれ、回転ドラム２８の底面部の開口部４６を通過して衣類３１に当たり、衣類３１から水分を奪って、多湿の空気となって回転ドラム２８の側壁の孔４５を通過して、洗濯槽２６の開口部５６を通過してダクト４４へと送られる。ダクト４４を通過した乾燥用空気は、矢印Ｂに示すように、フレキシブルホース４１を通過して風路４０に設けた吸熱器３８で、冷却除湿される。
【００４０】
除湿された乾燥用空気は再び、送風手段４３によって放熱器３６に送られて加熱される。吸熱器３８で発生した結露水は、排水タンク６７に滴下しそこに溜まる。このとき、制御手段７１は、排水ポンプ６８の停止時間が所定の停止時間を経過すると、排水ポンプ６８を動作させて結露水を本体２５外へ排出し、排水ポンプ６８の動作中に所定の動作時間が経過すると排水ポンプ６８を停止させる。
【００４１】
本実施の形態においては、排水ポンプ６８の停止時間と動作時間は、排水ポンプ６８の排水能力と除湿手段としての吸熱器３８の除湿能力より最適な値が算出され、あらかじめ制御手段７１に設定されているが、周囲の温度や湿度等の状況や本体２５の能力の経年変化等により最適な値があらかじめ設定されていた値と異なる場合には、図示しない操作手段により制御手段７１に設定されている値を変更することも可能である。
【００４２】
また、洗濯行程と乾燥行程に於ける最適な値が異なる場合には、行程毎に、または洗いや濯ぎといったさらに細かい行程区分毎に、排水ポンプ６８の停止時間と動作時間を設定することも可能である。
【００４３】
以上のように、本実施の形態においては、排水ポンプ６８の停止中に所定の停止時間が経過すると排水ポンプ６８を動作させて結露水を機外へ排出し、排水ポンプ６８の動作中に所定の動作時間が経過すると排水ポンプ６８を停止させる制御手段７１を設けたことにより、適切なタイミングで排水動作が行われ、乾燥機能のない洗濯機と同様に、１つの排水管４９で、洗濯水、結露水を本体２５外に排水できるものである。
【００４４】
また、制御手段７１で、排水ポンプ６８の所定の停止時間や動作時間を任意に変更できるようにすれば、使用状況に応じて適切なタイミングで排水動作を行うことができる。
【００４５】
また、制御手段７１で、洗濯乾燥機の洗濯や乾燥といった運転行程毎に排水ポンプ６８の停止時間や動作時間を設定することにより、使用状況や運転行程に応じて適切なタイミングで排水動作を行うことができる。
【００４６】
なお、本実施の形態では、衣類３１の乾燥時の熱源としてヒートポンプ装置を用いた例を示しているが、その他の熱源、例えばヒータや誘導加熱装置を用いて実施することも可能である。
【００４７】
また、上記実施の形態では、放熱器３６や吸熱器３８としてプレートフィン付きチューブ型熱交換器を用いたが、特にその形態に限定されるものではない。また、排水ポンプ６８を乾燥行程中に動作させるようにしたが、それ以外の行程中に動作させてもよい。
【００４８】
また、排水ポンプ６８は、停止／運転を交互に繰り返す間欠運転としているが、排水ポンプ６８の排水能力に比べて除湿手段３８の除湿能力が大きいまたは同等の場合には、停止時間がゼロ、すなわち連続運転するようにしても良い。逆に、ある行程において排水タンク６７へ水が溜まらない構成となっていれば、その行程においては運転時間がゼロ、すなわち停止状態を持続するようにしてもよい。
【００４９】
図４は、上記実施の形態における洗濯乾燥機の排水ポンプの他の制御例を示すフローチャートである。
【００５０】
吸熱器３８は、圧縮機３５が動作することにより周囲の空気より低い温度となり、除湿手段として作用するものであるが、圧縮機３５を停止してもしばらくの間は周囲の温度より吸熱器３８の温度が低い状態が持続し、除湿手段として作用する。そのため、乾燥行程を終了し、洗濯乾燥機の電源を切った後にも排水タンク６７に結露水が溜まる可能性がある。この状態で吸熱器３８の除湿能力と排水ポンプ６８の排水能力から決定された停止時間と動作時間で排水ポンプ６８を間欠運転すると、洗濯乾燥機の電源入時に排水タンク６７に溜まっていた結露水が排水されず、排水タンク６７の容量を超え、溢れるおそれがある。
【００５１】
これを避けるため、本制御例では、図４に示すように、洗濯乾燥機の電源が入れられると、制御手段７１は、ステップＳＴ１にて、排水ポンプ６８の運転を開始し、第１の所定時間が経過すると、ステップＳＴ２にて初期動作時間が経過したと判断し、ステップＳＴ３にて排水ポンプ６８の動作を停止し、以後通常の制御を行うようにしたものである。
【００５２】
このように、本制御例によれば、制御手段７１は、洗濯乾燥機の電源入時に第１の所定時間排水ポンプ６８を動作させて、排水タンク６７内の結露水を排出することとなり、電源を入れる前の排水タンク６７内の状態に関わらず適切な排水動作を行うことができる。
【００５３】
図５は、本実施の形態における洗濯乾燥機の排水ポンプの他の制御例を示すフローチャートである。
【００５４】
洗濯乾燥機の構成によっては、乾燥行程終了時に電源を切らず、引き続き次の洗濯行程に移行することもできるが、その場合、乾燥行程終了から洗濯行程開始までの時間によっては、冷えた状態にある吸熱器３８により排水タンク６７に結露水が溜まるおそれがある。
【００５５】
これを避けるため、本制御例は、図５に示すように、洗濯行程が開始されると、制御手段７１が、ステップＳＴ４にて排水ポンプ６８の動作を開始し、第２の所定時間が経過すると、ステップＳＴ５にて初期動作時間が経過したと判断し、ステップＳＴ６にて排水ポンプ６８の動作を停止し、以後通常の制御を行うようにしたものである。
【００５６】
以上のように、本制御例によれば、制御手段７１で、洗濯行程開始時に第２の所定時間排水ポンプ６８を動作させることにより、洗濯行程開始時に排水タンク６７内の結露水を排出することになり、洗濯行程を開始する前の排水タンク６７内の状態に関わらず適切な排水動作を行うことができる。
【００５７】
図６は、本実施の形態における洗濯乾燥機の排水ポンプの他の制御例を示すフローチャートである。
【００５８】
制御手段７１にて、排水ポンプ６８を所定の時間動作させ、所定の時間停止させるという間欠動作をした場合、排水ポンプ６８の停止中に洗濯行程が終了すると、排水タンク６７に結露水が溜まった状態で放置されるおそれがある。
【００５９】
これを避けるため、本制御例では、図６に示すように、洗濯行程が終了すると、制御手段７１は、ステップＳＴ７にて排水ポンプ６８の動作を開始し、第３の所定時間が経過すると、ステップＳＴ８にて終了時動作時間が経過したと判断し、ステップＳＴ９にて排水ポンプ６８の動作を停止する。
【００６０】
以上のように、本制御例では、制御手段７１は洗濯行程終了時に第３の所定時間排水ポンプ６８を動作させることにより、洗濯行程終了時に排水タンク６７内の結露水を排出するので、排水タンク６７内に結露水を長時間滞留させることのない洗濯乾燥機を提供することができる。
【００６１】
図７は、本実施の形態における洗濯乾燥機の排水ポンプの他の制御例を示すフローチャートである。
【００６２】
洗濯乾燥機の構成によっては、乾燥行程終了時に電源を切らず、引き続き新たな乾燥行程を行うことができる。その場合、乾燥行程終了から新たな乾燥行程開始までの時間によっては、最初の乾燥行程終了時に、圧縮機３５を停止しても、吸熱器３８の温度が低い状態が持続し、吸熱器３８が除湿手段として作用して、排水タンク６７に結露水が溜まるおそれがある。
【００６３】
これを避けるため、本制御例では、図７に示すように、乾燥行程が開始されると、制御手段７１は、ステップＳＴ１０にて排水ポンプ６８の動作を開始し、第４の所定時間が経過すると、ステップＳＴ１１にて初期動作時間が経過したと判断し、ステップＳＴ１２にて排水ポンプ６８の動作を停止し、以後通常の制御を行うようにしたものである。
【００６４】
以上のように、本制御例によれば、制御手段７１で、乾燥行程開始時に第４の所定時間排水ポンプ６８を動作させることにより、乾燥行程開始時に排水タンク６７内の結露水が確実に排出され、乾燥行程を開始する前の排水タンク６７内の状態に関わらず適切な排水動作を行う洗濯乾燥機を提供することができる。
【００６５】
図８は、本実施の形態における洗濯乾燥機の排水ポンプの他の制御例を示すフローチャートである。
【００６６】
制御手段７１にて排水ポンプ６８を所定の時間動作させ、所定の時間停止させるという間欠動作をした場合、排水ポンプ６８停止中に乾燥行程が終了すると、排水タンク６７内に結露水が溜まった状態で放置されるおそれがある。
【００６７】
これを避けるため、本制御例では、図８に示すように、乾燥行程が終了すると、制御手段７１は、ステップＳＴ１３にて排水ポンプ６８の動作を開始し、第５の所定時間が経過すると、ステップＳＴ１４にて終了時動作時間が経過したと判断し、ステップＳＴ１５にて排水ポンプ６８の動作を停止するようにしたものである。
【００６８】
以上のように、本制御例によれば、制御手段７１で、乾燥行程終了時に、第５の所定時間排水ポンプ６８を動作させることにより、乾燥行程終了時に排水タンク６７内の結露水が排出され、排水タンク６７内に結露水を長時間滞留させることのない洗濯乾燥機を提供することができる。
【００６９】
図９は、本実施の形態における洗濯乾燥機の排水ポンプの他の制御例を示すフローチャートである。
【００７０】
制御手段７１にて、排水ポンプ６８を所定の時間動作させ、所定の時間停止させるという間欠動作をした場合、排水ポンプ６８の停止中に洗濯乾燥機の電源が切られると、排水タンク６７に結露水が溜まった状態で放置されるおそれがある。
【００７１】
これを避けるため、本制御例では、図９に示すように、洗濯乾燥機の電源を切るための制御が開始されると、制御手段７１は、ステップＳＴ１６にて排水ポンプ６８の動作を開始し、第６の所定時間が経過すると、ステップＳＴ１７にて終了時動作時間が経過したと判断し、ステップＳＴ１８にて排水ポンプ６８の動作を停止するようにしたものである。
【００７２】
以上のように、本制御例によれば、制御手段７１は、洗濯乾燥機の電源切時に、第６の所定時間排水ポンプ６８を動作させることにより、乾燥行程終了時に排水タンク６７内の結露水を排出することとなり、排水タンク６７内に結露水を長時間滞留させることのない洗濯乾燥機を提供することができる。
【産業上の利用可能性】
【００７３】
以上のように、本発明にかかる洗濯乾燥機は、１つの排水管で洗濯水、結露水の両方を外に排水できると共に、排水タンク内に結露水が長時間滞留することをなくすことができるので、家庭用、業務用洗濯乾燥機に広く適用できる。
【図面の簡単な説明】
【００７４】
【図１】本発明の第１の実施の形態における洗濯乾燥機を背面から見た斜視図
【図２】同洗濯乾燥機の側断面図
【図３】同洗濯乾燥機の排水弁の拡大断面図
【図４】同洗濯乾燥機の排水ポンプの他の制御例を示す制御手段のフローチャート
【図５】同洗濯乾燥機の排水ポンプの他の制御例を示す制御手段のフローチャート
【図６】同洗濯乾燥機の排水ポンプの他の制御例を示す制御手段のフローチャート
【図７】同洗濯乾燥機の排水ポンプの他の制御例を示す制御手段のフローチャート
【図８】同洗濯乾燥機の排水ポンプの他の制御例を示す制御手段のフローチャート
【図９】同洗濯乾燥機の排水ポンプの他の制御例を示す制御手段のフローチャート
【図１０】従来の洗濯乾燥機の側断面図
【符号の説明】
【００７５】
２５  洗濯乾燥機本体（本体）
２６  洗濯槽
２８  回転ドラム
３８  吸熱器（除湿手段）
４７  洗濯排水路
４８  結露排水路
４９  排水管
６７  排水タンク
６８  排水ポンプ
【図１】
2006320759.tif 000003
【図２】
2006320759.tif 000004
【図３】
2006320759.tif 000005
【図４】
2006320759.tif 000006
【図５】
2006320759.tif 000007
【図６】
2006320759.tif 000008
【図７】
2006320759.tif 000009
【図８】
2006320759.tif 000010
【図９】
2006320759.tif 000011
【図１０】
2006320759.tif 000012